(57)【要約】【課題】通信装置を設置後に、別のネットワークシステムの通信装置へネットワーク識別ＩＤが誤設定されることが無く、かつ容易にネットワーク識別ＩＤを設定することができるネットワーク識別ＩＤ設定方法を得る。【解決手段】ペアケーブルを用いて通信する通信端末のネットワーク識別ＩＤを設定する方法であって、各通信端末は、ペアケーブルを用いた第１通信方式で通信する第１通信手段と、ペアケーブルを用いて通信する際に近接する別のネットワークシステムとの混信が生じない第２通信方式で通信する第２通信手段と、を備えており、第２通信方式を用いて、前記ネットワーク識別ＩＤを設定するための設定パケットを前記ペアケーブルに送信することにより、ペアケーブルに接続された各通信端末のネットワーク識別ＩＤを設定することを特徴とする。【選択図】図４
2008236182.tif 000002
【特許請求の範囲】
【請求項１】
ペアケーブルを用いて通信する通信端末のネットワーク識別ＩＤを設定する方法であって、
各前記通信端末は、
前記ペアケーブルを用いた第１通信方式で通信する第１通信手段と、
前記ペアケーブルを用いて通信する際に近接する別のネットワークシステムとの混信が生じない第２通信方式で通信する第２通信手段と、
を備えており、
前記第２通信方式を用いて、前記ネットワーク識別ＩＤを設定するための設定パケットを前記ペアケーブルに送信することにより、
前記ペアケーブルに接続された各通信端末のネットワーク識別ＩＤを設定する
ことを特徴とするネットワーク識別ＩＤ設定方法。
【請求項２】
前記設定パケットを前記ペアケーブルに同報送信することにより、前記ペアケーブルに接続された各通信端末のネットワーク識別ＩＤを設定する
ことを特徴とする請求項１に記載のネットワーク識別ＩＤ設定方法。
【請求項３】
前記設定パケットを前記ペアケーブルに接続された通信端末に個別に送信することにより、前記ペアケーブルに接続された各通信端末のネットワーク識別ＩＤを設定する
ことを特徴とする請求項１に記載のネットワーク識別ＩＤ設定方法。
【請求項４】
前記ペアケーブルに接続された通信端末のうち１つの通信端末に前記設定パケットを送信し、
その通信端末から他の通信端末に宛てて、
前記第２通信方式を用いて前記設定パケットを送信することにより、前記ペアケーブルに接続された各通信端末のネットワーク識別ＩＤを設定する
ことを特徴とする請求項１に記載のネットワーク識別ＩＤ設定方法。
【請求項５】
前記第２通信手段を備えたネットワーク識別ＩＤ設定装置を前記ペアケーブルに接続し、
そのネットワーク識別ＩＤ設定装置から他の通信端末に宛てて、
前記第２通信方式を用いて前記設定パケットを送信することにより、前記ペアケーブルに接続された各通信端末のネットワーク識別ＩＤを設定する
ことを特徴とする請求項１に記載のネットワーク識別ＩＤ設定方法。
【請求項６】
前記第１通信方式は、
所定のキャリア周波数で変調された交流信号を用いる通信方式であり、
前記第２通信方式は、
ベースバンドパルス伝送信号を用いる通信方式である
ことを特徴とする請求項１ないし請求項５のいずれかに記載のネットワーク識別ＩＤ設定方法。
【請求項７】
前記第１通信方式は、
所定のキャリア周波数で変調された交流信号を用いる通信方式であり、
前記第２通信方式は、
直流電圧レベル伝送信号を用いる通信方式である
ことを特徴とする請求項１ないし請求項５のいずれかに記載のネットワーク識別ＩＤ設定方法。
【請求項８】
前記第１通信方式は、
所定のキャリア周波数で変調された交流信号を用いる通信方式であり、
前記第２通信方式は、
前記キャリア周波数よりも低い周波数の交流電圧レベル伝送信号を用いる通信方式である
ことを特徴とする請求項１ないし請求項５のいずれかに記載のネットワーク識別ＩＤ設定方法。
【請求項９】
ペアケーブルを用いて通信する通信端末のネットワーク識別ＩＤを設定する装置であって、
ペアケーブルを用いて通信する近接する別のネットワークシステムとの混信が生じない第２通信方式を用いて、前記ネットワーク識別ＩＤを設定するための設定パケットを前記ペアケーブルに送信する、ネットワーク識別ＩＤ設定手段を備える
ことを特徴とするネットワーク識別ＩＤ設定装置。
【請求項１０】
前記ネットワーク識別ＩＤ設定手段は、
前記設定パケットを前記ペアケーブルに同報送信することにより、前記ペアケーブルに接続された各通信端末のネットワーク識別ＩＤを設定する
ことを特徴とする請求項９に記載のネットワーク識別ＩＤ設定装置。
【請求項１１】
前記ネットワーク識別ＩＤ設定手段は、
前記設定パケットを前記ペアケーブルに接続された通信端末に個別に送信することにより、前記ペアケーブルに接続された各通信端末のネットワーク識別ＩＤを設定する
ことを特徴とする請求項９に記載のネットワーク識別ＩＤ設定装置。
【請求項１２】
前記第２通信方式は、
ベースバンドパルス伝送信号を用いる通信方式である
ことを特徴とする請求項９ないし請求項１１のいずれかに記載のネットワーク識別ＩＤ設定装置。
【請求項１３】
前記第２通信方式は、
直流電圧レベル伝送信号を用いる通信方式である
ことを特徴とする請求項９ないし請求項１１のいずれかに記載のネットワーク識別ＩＤ設定装置。
【請求項１４】
前記第２通信方式は、
前記第１通信方式のキャリア周波数よりも低い周波数の交流電圧レベル伝送信号を用いる通信方式である
ことを特徴とする請求項９ないし請求項１１のいずれかに記載のネットワーク識別ＩＤ設定装置。
【発明の詳細な説明】
【技術分野】
【０００１】
本発明は、ペアケーブルを用いて通信する通信端末のネットワーク識別ＩＤを設定する方法とその装置に関するものである。
【背景技術】
【０００２】
従来の電力線モデムなどのように高周波数（２ＭＨｚ〜３０ＭＨｚ）を利用した通信においては、その通信パケットにネットワーク識別ＩＤ（ハウスコードとも呼ばれる）を付して通信を行っている。これにより、ネットワーク識別ＩＤが等しければ、同一のネットワークシステムの通信パケットであると認識し、必要な通信パケットを識別することができる。
従来、このネットワーク識別ＩＤの設定は、通信装置のディップスイッチにより手動で行っている。
【０００３】
一方、『アドレス情報、属性情報等の設定を近隣の住戸との混乱を生ずることなく設定することのできる電力線搬送用端末のシステム設定方法及び電力線搬送用端末設定装置を提供すること。』を目的とした技術として、『電力線となる商用電源８に接続される、商用電源８を介して制御される複数の照明装置、空調装置などの負荷装置または負荷機器用の電力線搬送端末装置、またはその操作側となる電力線搬送端末操作装置等の電力線搬送用端末１であって、少なくとも各電力線搬送用端末自体を特定するアドレス等の属性設定可能な電力線搬送通信部４を備えて成る電力線搬送用端末１のシステム設定方法である。電力線搬送用端末１に赤外線通信部５を設け、赤外線通信部５を介して各電力線搬送用端末の属性設定となる属性情報の書き込みをおこなう。』というものが提案されている（特許文献１）。
また、『電力線を介して行う各端末のＩＤ設定、確認を容易にする電力線通信システム及び電力線通信システムにおけるＩＤ設定方法を提供する。』ことを目的とした技術として、『ＣＰＵ２１は、ＩＤ管理アプリケーションのプログラムに従って動作し、他の端末へ電力線を介してＩＤ情報を送信した際に、ＩＤ設定処理において全端末に対して初期化コマンドを送信し、各端末からのレスポンスに応じてＩＤ設定コマンドを送信する。また、ＣＰＵ２１は、ＩＤ表示処理において、所定のＩＤが設定された端末に対してＩＤ表示ＯＮコマンドを送信し、その端末からのレスポンスに応じてＩＤ表示ＯＦＦコマンドを送信する。』というものが提案されている（特許文献２）。
【０００４】
【特許文献１】特開２００２−１７１２０５号公報（要約）
【特許文献２】特開２０００−２９５２５８号公報（要約）
【発明の開示】
【発明が解決しようとする課題】
【０００５】
上記特許文献１に記載の、赤外線通信でネットワーク識別ＩＤの設定を行う技術では、通信装置を設置後にネットワーク識別ＩＤの設定を行う場合には、通信装置が設置してある場所へ出向いて１つずつ設定する必要があるため、非常に手間がかかるという課題があった。ディップスイッチにより手動で設定する場合も同様である。
また、上記特許文献２に記載の、電力線モデムの通信によりネットワーク識別ＩＤを設定する技術では、電力線モデムの通信に高周波を用いるため、その通信線がアンテナとして作用することにより漏洩電磁波が発生する。これにより近接する別のネットワークシステムの通信線へもＩＤ設定コマンドが漏洩、伝送されることになり、別のネットワークシステムに接続されている通信装置へそのＩＤが誤設定される場合があった。
本発明は、上記のような課題を解決するためになされたもので、通信装置を設置後に、別のネットワークシステムの通信装置へネットワーク識別ＩＤが誤設定されることが無く、かつ容易にネットワーク識別ＩＤを設定することができるネットワーク識別ＩＤ設定方法を得ることを目的とする。
【課題を解決するための手段】
【０００６】
本発明に係るネットワーク識別ＩＤ設定方法は、
ペアケーブルを用いて通信する通信端末のネットワーク識別ＩＤを設定する方法であって、
各前記通信端末は、
前記ペアケーブルを用いた第１通信方式で通信する第１通信手段と、
前記ペアケーブルを用いて通信する際に近接する別のネットワークシステムとの混信が生じない第２通信方式で通信する第２通信手段と、
を備えており、
前記第２通信方式を用いて、前記ネットワーク識別ＩＤを設定するための設定パケットを前記ペアケーブルに送信することにより、
前記ペアケーブルに接続された各通信端末のネットワーク識別ＩＤを設定する
ことを特徴とするものである。
【発明の効果】
【０００７】
本発明によれば、ネットワークの通信によりネットワーク識別ＩＤを設定するようにしたので、通信端末を設置後でもネットワーク識別ＩＤの設定を容易に行うことができるという効果がある。
また、ネットワーク識別ＩＤを設定する通信に漏洩電磁波が発生しない通信方式を使用するようにしたので、近接する別のネットワークシステムの通信端末へネットワーク識別ＩＤが誤設定されることが無いという効果がある。
【発明を実施するための最良の形態】
【０００８】
実施の形態１．
図１は、本発明の実施の形態１に係る通信ネットワークシステムの構成図である。ここでは、ビル等の空調システムのネットワークを例に説明する。
図１において、管理室にはシステムコントローラ（ＳＣ）２０が設置されている。ＳＣ２０の配下には、ペアケーブル６０が配設されており、ネットワークＡを形成している。
ネットワークＡには、室外機３０、室内機４０がそれぞれ複数接続されている。これらの機能ブロック図については後述する。
なお、図１におけるネットワークＢも、ネットワークＡと同様の構成を有する。
【０００９】
また、ネットワークＡには、ネットワーク識別ＩＤ設定装置５０が接続されている。
ネットワーク識別ＩＤ設定装置５０は、後述の処理フローにより、ネットワーク識別ＩＤ設定パケットをネットワークＡ内に送信し、室外機３０、室内機４０のネットワーク識別ＩＤを設定する機能を持つ。
【００１０】
本実施の形態１における「通信端末」は、室外機３０、室内機４０、システムコントローラ２０がこれに相当する。
【００１１】
図２は、室外機３０の機能ブロック図である。ここでは、空調に関する機能ブロックは省略し、ペアケーブル６０を用いた通信に関する部分のみ記載している。
室外機３０は、ＣＰＵ３１、記憶部３２、第１通信部３３、第２通信部３４を備える。
ＣＰＵ３１は、記憶部３２に格納されている制御プログラムの指示に基づき、第１通信部３３と第２通信部３４の動作を制御する。
記憶部３２は、ＲＯＭ（Ｒｅａｄ  Ｏｎｌｙ  Ｍｅｍｏｒｙ）やＨＤＤ（Ｈａｒｄ  Ｄｉｓｋ  Ｄｒｉｖｅ）等の記憶装置で構成することができる。また、ネットワーク識別ＩＤの設定値を格納する。
第１通信部３３は、後述の第１通信方式によりペアケーブル６０を介して通信を行う。
第２通信部３４は、後述の第２通信方式によりペアケーブル６０を介して通信を行う。
【００１２】
なお、室内機４０も同様の構成を備える。
【００１３】
図３は、システムコントローラ２０の機能ブロック図である。
システムコントローラ２０は、ＣＰＵ２１、記憶部２２、第１通信部２３、第２通信部２４、表示部２５、入力部２６を備える。
ＣＰＵ２１は、記憶部２２に格納されている制御プログラムの指示に基づき、第１通信部２３、第２通信部２４、表示部２５の動作を制御する。
記憶部２２は、ＲＯＭ（Ｒｅａｄ  Ｏｎｌｙ  Ｍｅｍｏｒｙ）やＨＤＤ（Ｈａｒｄ  Ｄｉｓｋ  Ｄｒｉｖｅ）等の記憶装置で構成することができる。また、ネットワーク識別ＩＤの設定値を格納する。
第１通信部２３は、後述の第１通信方式によりペアケーブル６０を介して通信を行う。
第２通信部２４は、後述の第２通信方式によりペアケーブル６０を介して通信を行う。
表示部２５は、ネットワーク識別ＩＤ設定装置２０の動作状況を画面表示するディスプレイデバイス等で構成される。
入力部２６は、システムコントローラ２０のオペレータが操作指示を行うための、キーボードなどの入力装置である。
【００１４】
図４は、ネットワーク識別ＩＤ設定装置５０の機能ブロック図である。
ネットワーク識別ＩＤ設定装置５０は、ＣＰＵ５１、記憶部５２、第２通信部５４、表示部５５、入力部５６を備える。
ＣＰＵ５１は、記憶部５２に格納されている制御プログラムの指示に基づき、第２通信部５４、表示部５５の動作を制御する。
記憶部５２は、ＲＯＭ（Ｒｅａｄ  Ｏｎｌｙ  Ｍｅｍｏｒｙ）やＨＤＤ（Ｈａｒｄ  Ｄｉｓｋ  Ｄｒｉｖｅ）等の記憶装置で構成することができる。
第２通信部５４は、後述の第２通信方式によりペアケーブル６０を介して通信を行う。
表示部５５は、ネットワーク識別ＩＤ設定装置５０の動作状況を画面表示するディスプレイデバイス等で構成される。
入力部５６は、ネットワーク識別ＩＤ設定装置５０のオペレータがネットワーク識別ＩＤ設定装置５０に対して操作指示を行うための、キーボードなどの入力装置である。
【００１５】
次に、通信方式について説明する。
第１通信方式は、図１におけるネットワークＡ（あるいはネットワークＢ）の通常のシステムの制御通信に用いられる、キャリア周波数で変調された交流信号を用いる通信方式であり、上述の課題として説明したように、漏洩信号による混信の発生の恐れがある高周波数帯の通信方式である。
また、第２通信方式は、第１通信方式のような漏洩信号による混信の発生の恐れがない低周波数帯を用いる通信方式等、例えば以下のものを用いることができる。
（１）ベースバンドパルス伝送信号を用いる通信方式
（２）直流電圧レベル伝送信号を用いる通信方式
（３）第１通信方式のキャリア周波数よりも低い周波数の交流電圧レベル伝送信号を用いる通信方式
【００１６】
図５は、ネットワーク識別ＩＤ設定装置５０がネットワーク識別ＩＤの設定パケットを送信する際の動作フローである。以下、各ステップについて説明する。
【００１７】
（Ｓ５０１）
ネットワーク識別ＩＤ設定装置５０のオペレータは、入力部５６を操作し、ネットワークＡの各装置（室外機３０や室内機４０）に設定すべきネットワーク識別ＩＤの値を入力する。また、ネットワーク識別ＩＤの設定パケットを送信すべき旨の指示を入力する。
オペレータの入力内容は、ＣＰＵ５１に出力される。
【００１８】
（Ｓ５０２）
ＣＰＵ５１は、オペレータの入力内容を受け取り、そのネットワーク識別ＩＤの値に基づき、ネットワーク識別ＩＤの設定パケットを送信するように、第２通信部５４へ指示を出す。
第２通信部５４は、第２通信方式を用いて、ネットワーク識別ＩＤの設定パケットを、ペアケーブル６０を介してネットワークＡ内に同報送信する。
ＣＰＵ５１は、ネットワーク識別ＩＤの設定パケットを受信してネットワーク識別ＩＤを設定した旨のパケット（設定完了パケット）を待機する。
設定パケットを受信した室外機３０、室内機４０などのネットワークＡ上の各装置は、後述の図６で説明する動作フローを実行し、設定完了パケットを返信する。
【００１９】
（Ｓ５０３）
第２通信部５４は、室外機３０、室内機４０などのネットワークＡ上の各装置より、設定完了パケットを受信する。受信した旨はＣＰＵ５１に通知される。
（Ｓ５０４）
ＣＰＵ５１は、ネットワークＡ内の全ての装置（室外機３０や室内機４０）からステップＳ５０３の設定完了パケットを受信したか否かを判断する。
未だ受信していない装置がある場合はステップＳ５０３へ戻り、全ての装置から受信した場合は、本処理を終了する。
【００２０】
図６は、室外機３０がネットワーク識別ＩＤ設定装置５０よりネットワーク識別ＩＤの設定パケットを受信した際の動作フローである。以下、各ステップについて説明する。
【００２１】
（Ｓ６０１）
第２通信部３４は、ペアケーブル６０を介して、第２通信方式により上記設定パケットを受信する。受信した旨とそのＩＤ値は、ＣＰＵ３１に出力される。
（Ｓ６０２）
ＣＰＵ３１は、第２通信部３４より受け取ったＩＤ値を、ネットワーク識別ＩＤ値として記憶部３２へ格納する。
（Ｓ６０３）
ＣＰＵ３１は、第２通信部３４に対し、第２通信方式を用いて、ネットワーク識別ＩＤの設定パケットを受信してネットワーク識別ＩＤを設定した旨のパケット（設定完了パケット）を送信するように指示する。
第２通信部３４は、ＣＰＵ３１の指示に基づき、上記設定完了パケットをネットワーク識別ＩＤ設定装置５０に宛てて送信する。
【００２２】
なお、システムコントローラ２０及び室内機４０も、ネットワーク識別ＩＤの設定パケット受信時には図６と同様の動作をする。
【００２３】
図７は、ネットワーク識別ＩＤ設定装置５０がネットワーク識別ＩＤの設定パケットを送信した際の動作シーケンス図である。
ネットワーク識別ＩＤ設定装置５０がネットワークＡ内でネットワーク識別ＩＤの設定パケットを同報送信すると、その設定パケットはネットワークＡ内の室外機３０及び室内機４０（複数接続されている場合はそれぞれの装置）に到達する。設定パケットを受け取った室外機３０や室内機４０は、図５で説明した動作フローにより、応答パケットを返信する。
なお、先に述べたように、図７の動作シーケンスは、近接する別のネットワークシステムとの混信のおそれのない、第２通信方式により行われる。
【００２４】
以上のように、本実施の形態１によれば、室外機３０や室内機４０のネットワーク識別ＩＤの設定を、ネットワークを介する設定パケットにより行うようにしているので、１台ずつスイッチ等の手動で行うよりも容易かつ迅速に設定することができる。
また、近接する別のネットワークシステムとの混信のおそれのない第２通信方式を用いて設定パケットを送信するようにしているので、漏洩電波により別のシステム（例えばネットワークＢ）の装置へネットワーク識別ＩＤを誤設定してしまうことを防ぐことができる。
【００２５】
実施の形態２．
実施の形態１は、ネットワーク識別ＩＤの設定コマンドを同報送信するようにしたものであるが、本発明の実施の形態２では、設定コマンドを各装置へ個別に送信する動作例を説明する。
なお、各装置及びネットワーク構成は、実施の形態１と同一であるため、説明を省略する。
【００２６】
図８は、本実施の形態２において、ネットワーク識別ＩＤ設定装置５０がネットワーク識別ＩＤの設定パケットを送信した際の動作シーケンス図である。
ネットワーク識別ＩＤ設定装置５０は、「設定パケット」を室外機３０へ送信し、室外機３０から「設定完了パケット」を受信する。同様に室内機４０へ「設定パケット」を送信し、「設定完了パケット」を受信する。
同様の動作を、システムコントローラ２０を含むネットワークＡ内の全ての装置について実行する。
【００２７】
以上のように、本実施の形態２によれば、実施の形態１と同様に、１台ずつスイッチ等の手動でネットワーク識別ＩＤの設定を行うよりも容易に設定することができる。また、応答を１台ずつ確認しながら設定を行うことができるので、ネットワーク識別ＩＤの設定に失敗した際に、再設定するなどの対応を即座に実行することができる。
【００２８】
実施の形態３．
実施の形態１〜２では、ネットワーク識別ＩＤ設定装置５０がネットワークＡ内の各装置のネットワーク識別ＩＤを設定する動作例を説明した。
本発明の実施の形態３では、室外機３０がネットワーク識別ＩＤ設定装置５０に代理して、各装置のネットワーク識別ＩＤを設定する動作例を説明する。
【００２９】
図９は、本実施の形態３において、ネットワーク識別ＩＤ設定装置５０がネットワーク識別ＩＤの設定パケットを送信する際の動作シーケンス図である。
（１）ネットワーク識別ＩＤ設定装置５０は、室外機３０に宛てて、ネットワーク識別ＩＤの設定パケットを送信する。室外機３０は、図６と同様の動作を行い、自己のネットワーク識別ＩＤを設定し、設定完了パケットを返信する。
（２）次に、室外機３０は、ネットワーク識別ＩＤ設定装置５０より受け取った設定パケットと同じパケットを、ネットワークＡ内の他の装置（室内機４０など）に送信する。設定パケットを受け取った装置は、図６と同様の動作を行い、自己のネットワーク識別ＩＤを設定し、設定完了パケットを返信する。
【００３０】
図９のような室外機３０の動作は、ネットワークＡ内のアクセス制限が施されているような場合に有効である。
例えば、図１において、ビルのフロア毎にアクセス制限が施されており、ネットワーク識別ＩＤ設定装置５０は、各フロアの室外機３０にのみ設定パケットを送信可能である場合を考える。
このような場合には、ネットワークＡ内の全ての装置にネットワーク識別ＩＤを設定するためには、室外機３０が設定パケットを中継せざるを得ない。したがって、室外機３０は図９のような動作を行い、ネットワーク識別ＩＤ設定装置５０に代理して、各フロアの室内機４０等に設定パケットを送信する。
【００３１】
なお、図９のような設定パケットの転送機能は、室内機４０やシステムコントローラ２０が備えていてもよい。また、図９のような転送動作を多段的に繰り返してもよい。
【００３２】
以上のように、本実施の形態３によれば、ネットワーク識別ＩＤ設定装置５０が送信したネットワーク識別ＩＤ設定パケットを、室外機３０や室内機４０等が転送するので、ネットワークの構成上の制限などによりネットワーク識別ＩＤ設定装置５０が設定パケットを直接送信できない場合でも、転送により設定パケットを届けることができる。
【００３３】
実施の形態４．
実施の形態１〜３において、ネットワーク識別ＩＤ設定装置５０が、ネットワークＡ上の各装置に対してネットワーク識別ＩＤ設定パケットを送信する動作例を説明した。
ネットワーク識別ＩＤ設定装置５０と同様の機能を、システムコントローラ２０が実施するように構成してもよい。この場合は、システムコントローラ２０は第２通信部２４より設定パケットを送信し、以下のいずれかの動作を行う。
（１）設定パケットを同報送信する。
（２）設定パケットを各装置宛に個別に送信する。
（３）室外機３０（又は室内機４０、システムコントローラ２０）に宛てて設定パケットを送信し、室外機３０より各装置へ設定パケットを転送する。
【００３４】
以上のように、本実施の形態４によれば、ネットワーク識別ＩＤ設定装置５０と同様の機能をシステムコントローラ２０が実施するので、ネットワーク識別ＩＤ設定装置５０を別途設ける必要がなく、ネットワーク構成を変更せずにネットワーク識別ＩＤの設定を行うことができる。
【００３５】
なお、以上の実施の形態１〜４において、空調システムを例にとり説明したが、本発明の適用対象はこれに限られるものではなく、第１通信方式の漏洩電波によりネットワーク識別ＩＤの誤設定が生じ得る全てのネットワークにおいて適用可能なものである。
【図面の簡単な説明】
【００３６】
【図１】実施の形態１に係る通信ネットワークシステムの構成図である。
【図２】室外機３０の機能ブロック図である。
【図３】システムコントローラ２０の機能ブロック図である。
【図４】ネットワーク識別ＩＤ設定装置５０の機能ブロック図である。
【図５】ネットワーク識別ＩＤ設定装置５０がネットワーク識別ＩＤの設定パケットを送信する際の動作フローである。
【図６】室外機３０がネットワーク識別ＩＤ設定装置５０よりネットワーク識別ＩＤの設定パケットを受信した際の動作フローである。
【図７】ネットワーク識別ＩＤ設定装置５０がネットワーク識別ＩＤの設定パケットを送信した際の動作シーケンス図である。
【図８】実施の形態２において、ネットワーク識別ＩＤ設定装置５０がネットワーク識別ＩＤの設定パケットを送信した際の動作シーケンス図である。
【図９】実施の形態３において、ネットワーク識別ＩＤ設定装置５０がネットワーク識別ＩＤの設定パケットを送信する際の動作シーケンス図である。
【符号の説明】
【００３７】
２０  システムコントローラ、２１  ＣＰＵ、２２  記憶部、２３  第１通信部、２４  第２通信部、２５  表示部、２６  入力部、３０  室外機、３１  ＣＰＵ、３２  記憶部、３３  第１通信部、３４  第２通信部、４０  室内機、５０  ネットワーク識別ＩＤ設定装置、５１  ＣＰＵ、５２  記憶部、５４  第２通信部、５５  表示部、５６  入力部、６０  ペアケーブル。
【図１】
2008236182.tif 000003
【図２】
2008236182.tif 000004
【図３】
2008236182.tif 000005
【図４】
2008236182.tif 000006
【図５】
2008236182.tif 000007
【図６】
2008236182.tif 000008
【図７】
2008236182.tif 000009
【図８】
2008236182.tif 000010
【図９】
2008236182.tif 000011